(57)【要約】【課題】  ２４フレーム／秒のプログレッシブ画像で、記録媒体に画像音声情報を記録し、その画像音声情報を再生することが可能な記録再生装置を提供すること。【解決手段】  入力部１０３から２４フレーム／秒のプログレッシブで画像を取り込み、符号／復号部１０４で符号化及び圧縮処理を行い、ドライブ１０７が画像音声情報を記録媒体１０８に記録する。前記画像音声情報を再生する際には、画像変換部１０５で６０フレーム／秒のインターレースに画像変換を行い、符号／復号部１０４での復号化及び伸張処理を経て再生するように構成する。【選択図】  図１
2005117439.tif 000002
【特許請求の範囲】
【請求項１】
画像音声情報を記録媒体上に記録し、前記記録媒体に記録されている前記画像音声情報を再生する記録再生装置において、
前記画像音声情報を記録する際には、画像情報を２４フレーム/秒のプログレッシブ画像で記録することを特徴とする記録再生装置。
【請求項２】
請求項１に記載の記録再生装置において、
前記画像音声情報を記録する際には、ユーザから指定された画像方式に応じて所定の画像変換を行うことを特徴とする記録再生装置。
【請求項３】
請求項１または２に記載の記録再生装置において、
記録媒体に記録された前記画像音声情報の画像方式をユーザから指定された画像方式に応じて変換することが可能であり、
前記変換後の画像音声情報を記録媒体に記録することを特徴とする再生装置。
【請求項４】
請求項２または３に記載の記録再生装置において、
前記画像方式を変換する際には、一つまたは二つ以上の画像方式への変換ができるように構成したことを特徴とする記録再生装置。
【請求項５】
請求項１〜４に記載の記録再生装置において、
前記画像音声情報を記録する際に、前記画像音声情報がどのような画像方式で記録されたかを示す確認情報を前記画像音声情報の内部、または記録媒体に記録することを特徴とする記録再生装置。
【請求項６】
請求項５に記載の記録再生装置において、
前記画像音声情報を記録媒体から再生する場合には、前記確認情報を読み出し、前記読み出した確認情報に基いて前記画像音声情報を再生することを特徴とする記録再生装置。
【請求項７】
画像音声情報を記録媒体上に記録する記録方法であって、
前記画像音声情報として２４フレーム／秒のプログレッシブ画像を取り込み、
前記プログレッシブ画像を取り込んだ画像方式のまま符号化・圧縮して記録することを特徴とする記録方法。
【発明の詳細な説明】
【技術分野】
【０００１】
本発明は、画像音声情報を記録媒体上に記録し、前記記録媒体に記録されている前記画像音声情報を再生する記録再生技術に関し、特にプログレッシブ画像の記録再生技術に関する。
【背景技術】
【０００２】
近年、いわゆるＤＶＤ(Digital Versatile Disc)に代表される光ディスクが広く普及している。これら光ディスクには、高品質な画像音声情報を記録することが可能であり、例えば映画等の大容量コンテンツを記録しておき、プレーヤで再生することによって、家庭の中でも映画館さながらの迫力ある映像を楽しむことができるようになっている。
【０００３】
また、高品質な画像音声信号の記録技術の１つとして、２４フレーム/秒のプログレッシブ画像を記録し、再生する画像処理装置が知られている（例えば、特許文献１参照）。
【０００４】
【特許文献１】特開平８−１８６８１２号公報
【発明の開示】
【発明が解決しようとする課題】
【０００５】
近年、高品質な画像音声情報を記録した大容量の記録媒体、例えば光ディスク等の記録媒体を再生する再生装置は様々な機能を有している。また、前述のように２４フレーム/秒のプログレッシブ画像を再生可能な再生装置も登場してきている。
【０００６】
現在の映画撮影においては、フィルム媒体に２４フレーム/秒のプログレッシブで記録することが主流であるが、将来的にはＤＶＤのような光ディスクに対して映画等の大容量のデータを２４フレーム/秒のプログレッシブで記録し、前記プレーヤで再生することが主流になることも考えられる。
【０００７】
このような場合において、２４フレーム/秒のプログレッシブ画像を記録媒体に記録し、前記再生装置との再生互換性を有する記録再生装置があれば便利である。
【０００８】
従来の技術では、６０フィールド/秒のインターレース画像を取り込み、２４フレーム/秒のプログレッシブ画像に変換していたが、画像の取り込みの際に２４フレーム/秒のプログレッシブ画像そのものを取り込むことについては考慮されていなかった。
【０００９】
本発明の目的は、２４フレーム/秒のプログレッシブ画像の取り込みを行うことを特徴とし、前記取り込んだ画像情報及び音声情報を符号化等の処理を経て記録媒体に記録する機能と、２４フレーム/秒のプログレッシブ画像で記録された画像音声情報を再生する機能とを有する記録再生装置と、その記録方法を提供することにある。
【課題を解決するための手段】
【００１０】
上記目的を達成するために、本発明は、画像音声情報を記録媒体上に記録し、
前記記録媒体に記録された画像音声情報を再生する記録再生装置において、
前記画像音声情報を記録する際には、
前記画像情報を２４フレーム/秒のプログレッシブ画像で取り込むことを特徴とする記録再生装置を提供する。
【００１１】
また、前記再生装置には画像変換手段を持つように構成し、前記取り込んだ画像を前記画像変換手段によって、様々な方式の画像を記録できることを特徴とする記録再生装置を提供する。
また、前記記録媒体に記録した画像音声情報内、または記録媒体に記録した画像方式を示す情報、例えば２４フレーム/秒のプログレッシブ画像で記録したデータであることを示す情報を記録するように構成することで、前記様々な方式で記録した画像を再生する際には、前記記録した情報に基き、再生することを特徴とする記録再生装置及び記録方法を提供する。
【発明の効果】
【００１２】
本発明に係る記録再生装置及び記録方法を用いることにより、フィルムに記録する映画と同じように２４フレーム/秒のプログレッシブ画像で光ディスクに画像音声情報を記録し、前記記録再生装置で再生することが可能になるとともに、他の再生装置でも再生することが可能になり、家庭でも手軽にフィルムライクな映像を楽しむことができる。
【００１３】
また、従来のように６０フィールド/秒のインターレース画像を取り込み、符号化するのに比べ、符号化効率が向上する効果が得られる。
【発明を実施するための最良の形態】
【００１４】
以下、本発明に係る再生装置の具体的な実施の形態をＤＶＤのような光ディスクに記録するビデオカメラの一実施例について、図面を用いて説明する。
【００１５】
図１に、本発明を適用した実施例である記録再生装置のブロック図を示す。
【００１６】
図１において、１０１はシステム制御部、１０２はユーザＩ／Ｆ、１０３は入力部、１０４は符号／複合部であり、１０５は画像変換部、１０６はＲＡＭ(Ｒａｎｄｏｍ  Ａｃｃｅｓｓ  Ｍｅｍｏｒｙ)、１０７はドライブ、１０８はＤＶＤ等の光ディスク、１０９は出力部である。
【００１７】
システム制御部１０１は、ユーザＩ／Ｆ１０２を介してユーザの指示入力に基づき、前記各部の制御動作を行うものである。また、前記制御を行うためのプログラムはＲＡＭ１０６に格納されており、システム制御部１０１は、制御内容に応じて適宜必要なプログラムを読み出して、処理を実行する。
【００１８】
まず、本実施例の記録再生装置において、画像音声情報を記録媒体である光ディスク１０８に記録する方法について図１乃至図５を用いて説明する。
【００１９】
本実施例において光ディスク１０８に記録する画像音声情報は、例えば図２に示すようなディレクトリ構成でファイルとして管理される。ルートディレクトリ２００の下に複数のサブディレクトリ２０１、２０３、２０６．．．が配置される。
【００２０】
サブディレクトリ２０１は、光ディスク１０８上に記録されたあらゆるデータを管理するための情報を格納するディレクトリであり、管理情報ファイル２０２を格納する。管理情報ファイル２０２は光ディスク１０８上に記録されているデータが更新に合わせて更新されるものである。
【００２１】
また、サブディレクトリ２０３は、画像音声情報の再生制御を行うためのプレイリストファイルを格納するディレクトリであり、例えば図２に示したように、プレイリストファイル１＿２０４やプレイリストファイル２＿２０５を格納する。プレイリストファイル１＿２０４またはプレイリストファイル２＿２０５は、画像音声情報ファイル２０７や２０８を再生する際の再生順序等を記述したファイルである。
【００２２】
また、サブディレクトリ２０６は、画像音声情報ファイルを格納するためのディレクトリであり、例えばＭＰＥＧ−２ ＴＳ(Ｔｒａｎｓｐｏｒｔ Ｓｔｒｅａｍ)方式で記録された画像音声情報ファイル２０７や２０８を格納する。
【００２３】
なお、図２に示すディレクトリ構成や記録するファイルの種類等は一例を示すものであり、これに限定するものではない。
【００２４】
入力部１０３は、光信号を電気信号に変換するＣＣＤやアナログ信号を入力する役割を担い、また、アナログ信号をデジタル信号に変換するＡ／Ｄ変換器なども含まれるものとする。本実施例において、入力部１０３は、２４フレーム／秒のプログレッシブ画像を取り込むように動作する。
【００２５】
入力部１０３から入力された画像音声情報は、符号／復号部１０４において所定の符号化方式、例えばＭＰＥＧ２方式などにより符号化され、圧縮されるとともに順次画像情報と音声情報の多重化が行われる。このとき、本実施例では、入力部１０３より取り込まれた画像情報は２４フレーム／秒のプログレッシブ画像であり、前記画像を符号化し、圧縮する。
【００２６】
多重化後のストリームデータは、ＲＡＭ１０６に一旦蓄積され、ドライブ制御部１０７から光ディスク１０８に順次記録される。このとき、ＲＡＭ１０６に蓄積されたデータ容量をシステム制御部１０１が監視し、ある一定容量を越えた場合に、蓄積データを光ディスク１０８に書き込むように構成しても良い。
【００２７】
また、画像変換部１０５は、入力部１０３により取り込まれた２４フレーム／秒のプログレッシブ画像を、例えば６０フィールド／秒のインターレース画像に変換する処理を行うものである。画像変換部１０５は、入力部１０３により取り込まれた２４フレーム／秒のプログレッシブ画像を、例えば６０フィールド／秒のインターレース画像に変換する場合に用いられる。この場合、例えば図３に示すようなメニュー画面をシステム制御部１０１の制御により表示させ、記録開始時にユーザが記録する画像方式を選択できるように構成する。このとき、ユーザから６０フィールド／秒のインターレース画像で記録するという指示があった場合、システム制御部１０１がその指示を認識し、画像変換部１０５によって画像変換処理を行い、光ディスク１０８に記録する。具体的な画像変換処理については後述する。
【００２８】
また、符号／復号部１０４によって符号化を行うのと並行して、画像変換部１０５によって画像変換を行うことも可能である。例えば、入力部１０３により取り込まれた２４フレーム／秒のプログレッシブ画像を符号／復号部１０４によって符号化し、光ディスク１０８に記録するのと並行して、２４フレーム／秒のプログレッシブ画像を画像変換部１０５を通して６０フィールド／秒のインターレース画像に変換し、光ディスク１０８に記録することも可能である。これにより、一回の画像記録で二種類の画像方式を光ディスク１０８に記録すること、言い換えれば、同一の画像データを異なる画像方式で記録媒体に記録することも可能である。具体的には、システム制御部１０１の制御により、図４に示すような処理で実現する。
【００２９】
なお、符号／復号部１０４はひとまとめに示しているが、例えば２４フレーム／秒のプログレッシブ画像を符号化する部分と、６０フィールド／秒のインターレース画像を符号化する部分から構成される。もちろん、前記２つの画像に限らず、様々な画像情報を符号化するように構成しても良い。
【００３０】
この場合において、同一動画像データを異なる画像方式で同時記録する例を図４を用いて説明する。
【００３１】
図４のステップＳ４００では、２４フレーム／秒のプログレッシブ画像で画像の取り込みを行う。次に、ステップＳ４０１ではステップＳ４００で取り込んだ２４フレーム／秒のプログレッシブ画像に対して、符号／復号部１０４によって、２４フレーム／秒のプログレッシブ画像に応じた符号化処理や圧縮処理を行う。前記符号化したデータは、例えばＲＡＭ１０６に蓄えておく。
【００３２】
まず、２４フレーム／秒のプログレッシブ画像の記録について説明する。ステップＳ４１０では、ＲＡＭ１０６に蓄えたデータをドライブ１０７が光ディスク１０８に書き込む処理を行う。書き込み処理終了後、ステップＳ４１１で２４フレーム／秒のプログレッシブ方式の記録処理を終了する。
【００３３】
次に、６０フレーム／秒のインターレース画像の記録に際しては、ステップＳ４２０において、画像変換処理を行う。具体的には、ＲＡＭ１０６に蓄えたデータを画像変換部１０５に送り、２４フレーム／秒のプログレッシブ画像から６０フレーム／秒のインターレース画像へと変換を行う。次に、ステップＳ４２１では６０フレーム／秒のインターレース画像を光ディスク１０８に書き込む処理を行う。書き込み処理終了後、ステップＳ４２２で６０フィールド／秒のインターレース方式の記録処理を終了する。以上が同一動画像データを異なる画像方式で同時記録する一例である。なお、データを蓄えておくのはＲＡＭ１０６としたが、符号／復号部１０４や画像変換部１０５にＲＡＭを付随させ、蓄えるように構成しても良い。
【００３４】
また、符号化する前に画像変換を行うように構成しても良い。具体的には、２４フレーム／秒のプログレッシブで取り込んだ画像を、例えば符号／復号部１０４に付随するＲＡＭ(図示せず)に蓄えておくように構成する。一方では、ＲＡＭ１０６に蓄えた画像を２４フレーム／秒のプログレッシブ画像に応じた符号化処理を行った後、ドライブ１０７が光ディスク１０８に書き込み処理を行う。他方では、前記ＲＡＭ１０６に蓄えた画像を画像変換部１０５によって６０フィールド／秒のインターレース画像に変換した後、６０フィールド／秒のインターレース画像に応じた符号化処理を行い、光ディスク１０８に書き込み処理を行う。
【００３５】
以上示した例によっても、同一動画像データを異なる画像方式で同時記録することが可能である。
【００３６】
また、図５は、２４フレーム／秒のプログレッシブ画像を６０フレーム／秒のインターレース画像に変換した後、符号化・圧縮処理を行うことで同一画像データを異なる画像方式で同時記録する例を示している。具体的には、図５のステップＳ５００において取り込んだ２４フレーム／秒のプログレッシブ画像をステップＳ５２０において６０フィールド／秒のインターレース画像に変換した後、ステップＳ５２１において符号化・圧縮処理を行う。以下、ステップＳ５２２において光ディスク１０８への書き込み処理を行った後、ステップＳ５２３において記録処理を終了するように構成することも可能である。なお、２４フレーム／秒のプログレッシブ画像記録処理を示す、ステップＳ５１０からステップＳ５１２までのステップの処理内容については、図４に示した例と相違ないため、説明は割愛する。以上述べたように、画像変換を行ってから符号／復号部１０４によって符号化しても良いし、画像変換を行わずに符号／復号部１０４によって符号化しても良い。
【００３７】
また、前述の手順によって画像音声情報ファイルを光ディスク１０８に記録するに際し、前記画像音声情報ファイルの画像方式に関する情報もあわせて記録しておくと良い。記録した画像音声情報ファイルの画像方式に関する情報、すなわち記録した画像方式が２４フレーム／秒のプログレッシブなのか、または別の画像方式、例えば６０フィールド／秒のインターレースなのかを判別できるようにすれば良い。具体的には、前記画像音声情報のストリーム中のヘッダ部分に２４フレーム／秒のプログレッシブならば２進数で００、６０フィールド／秒のインターレースならば２進数で０１、他の方式であれば２進数で１０など、ビット判別できるような情報を記述しておけば良い。また、上記以外にも図２に示したプレイリストファイルに記録しても良いし、図２には図示していないがクリップ情報ファイル等の画像音声情報ファイルと対を成すファイルに記録するなど、様々な変形が可能であり、特に限定されるものではない。
【００３８】
また、光ディスク１０８に２４フレーム／秒のプログレッシブ画像で記録した画像音声情報を６０フィールド／秒のインターレース画像に変換しても良いし、あるいは、その逆の変換をしても良い。また、前記変換後にも元の画像音声情報を残しておき、変換前と変換後の異なる画像方式で記録した画像音声情報ファイルを光ディスク１０８に記録しておいたり、変換後のデータだけを光ディスク１０８に記録しておいたりと様々な変形例が考えられる。また、画像変換部１０５は２４フレーム／秒のプログレッシブ画像と６０フィールド／秒のインターレース画像との間での画像変換ができるだけでなく、その他の画像方式への変換機能を有していても良い。
【００３９】
なお、符号／復号部１０４はひとまとめに示したが、符号化の一部をハードウェアで行い、その他多重化までを前記システム制御部１０１により制御されるソフトウェアで行うというように、複合的な構成で実現される場合もある。
【００４０】
以上が本実施例の記録再生装置における画像音声情報の記録方法の一例である。
【００４１】
次に、本実施例の記録再生装置において、画像音声情報を記録媒体である光ディスクから読み出し、再生する方法について図１、図６を用いて説明する。
【００４２】
図１において前述の記録動作とは逆の流れにより、光ディスク１０８からドライブ１０７により、光ディスク１０８に記録されている画像音声情報が光ディスク１０８上の任意の位置から読み出される。前記読み出された画像音声情報はストリームデータとして一旦ＲＡＭ１０６に蓄積された後、符号/復号部１０４において画像データと音声データが分離及び復号され、出力部１０９から任意の信号形式で出力される。
【００４３】
記録時と同様に、システム制御部１０１はＲＡＭ１０６に格納されている制御用プログラムをロードすることにより前述の各部を制御するものである。再生動作の制御に際してはストリームデータの読出しに先立ち、光ディスク１０８に記録されている再生を制御するための情報ファイル、例えば図２に示したプレイリストファイルや図示していないクリップ情報ファイル等に記載されている再生順序を制御する情報に基き、再生を行う。また、ユーザＩ／Ｆ１０２を介して入力されたユーザの指示入力は、制御部１０１により認識され、前記ユーザの指示に基き、再生が実行される。このとき、再生すべき画像音声情報が２４フレーム／秒のプログレッシブ画像で記録されているのか、６０フィールド／秒のインターレース画像で記録されているのかによって異なる処理を行う必要がある。
【００４４】
以下に、再生の際にシステム制御部１０１が実行する画像変換処理について図６を用いて説明する。まず、ステップＳ６００において再生準備を開始すると、ステップＳ６０１で光ディスク１０８に記録されている画像音声情報ファイルの読み出し処理を実行する。
【００４５】
次のステップＳ６０２では、システム制御部１０１は、ステップＳ６０１で読み出した画像音声情報ファイルの画像方式に関する情報を解析し、判別する処理を行う。具体的には、画像音声情報ファイルの記録時に、あわせて記録しておいた画像方式に関する情報に記載されている情報を解析すれば良い。前記情報は、前述の通りストリーム中のヘッダやプレイリストやクリップ情報ファイル等に記載されている。ステップＳ６０２の判別処理の結果、読み出したストリームが６０フィールド／秒のインターレース画像であれば画像変換処理を行わないが、２４フレーム／秒のプログレッシブ画像であればステップＳ６０３に進み、画像変換部１０５で２４フレーム／秒のプログレッシブ画像から６０フィールド／秒のインターレース画像へと変換処理を行う。６０フィールド／秒のインターレース画像への変換が完了すれば、それ以降の処理は共通であり、ステップＳ６０４では、符号/復号部１０４による所定の複合化及び伸張処理が行われ、ステップＳ６０５において再生処理が開始される。
【００４６】
なお、ステップＳ６０２の画像方式の判別処理及びステップＳ６０３の画像変換処理を実行するタイミングはこれに限定するものではなく、例えばステップＳ６０４の復号・伸張処理を実行した後に画像方式の判別処理及び画像変換処理を実行するようにしても良い。また、記録処理の説明でも述べた通り、画像変換部１０５を様々な画像方式への変換に利用できるように構成することができ、その効果として様々な画像方式で記録された画像音声情報の再生が可能になる。
【００４７】
なお、本実施例では記録再生装置において自己録再する例について説明したが、これに限るものではなく、他の記録装置、再生装置、または記録再生装置との互換性を有する。すなわち、本実施例でも示したように、記録の際には、画像音声情報の画像形式に関する情報をストリームやファイル等の所定の位置に記述するように構成し、また、再生の際には前記画像形式に関する情報を調査、判別し、その結果に基いた再生制御を行うように構成した、あらゆる記録装置、再生装置、記録再生装置との互換性を確保することができる。
【００４８】
また、本実施例の記録再生装置は画像変換装置としても利用することができる。例えば本実施例の記録再生装置、または他の記録装置において光ディスクに記録した画像音声情報を、他の再生装置で再生しようとした場合、再生できないことも考えられる。例えば前記画像形式に関する情報を調査、判別する機能を持たない再生装置や２４フレーム／秒のプログレッシブ画像から６０フィールド／秒のインターレース画像への変換機能を持たない再生装置である。このような再生装置において、２４フレーム／秒のプログレッシブ画像で記録された画像音声情報を再生するためには、本実施例の記録再生装置において６０フィールド／秒のインターレース画像へと変換し、記録し直すことで、さらに多くの再生装置と互換性を持つことが可能になる。
以上が本実施例の記録再生装置における画像音声情報の再生方法の一例である。
【００４９】
次に、本実施例における画像変換部１０５が実行する画像変換方法の一例について図７を用いて説明する。
図７−aは７０１-ａに示す２４フレーム／秒のプログレッシブ画像から、７０２-ａに示す６０フィールド／秒のインターレース画像へと変換する例を示している。２４フレーム／秒のプログレッシブ画像では１秒間に２４コマ(すなわち、フレーム)で構成されるが、６０フィールド／秒のインターレース画像では１秒間に３０コマで構成される。そこで図７-ａに示すように、２４フレーム／秒のプログレッシブ画像の最初の１コマから２フィールド、次の１コマから３フィールドに変換し、以下２フィールド、３フィールド・・・というように変換を繰り返すことによって、２４フレーム／秒のプログレッシブ画像から６０フィールド/秒のインターレース画像への変換が実現される。このような変換はユーザからの指示を受け、２４フレーム／秒のプログレッシブで取り込んだ画像を６０フィールド/秒のインターレース画像で記録したり、２４フレーム／秒のプログレッシブで記録した画像を６０フィールド／秒のインターレース画像に変換したりするときに行う。
【００５０】
図７−ｂは図７−ａと逆の変換過程であり、７０１-ｂに示す６０フィールド／秒のインターレース画像から、７０２-ｂに示す２４フレーム／秒のプログレッシブ画像へと変換する例を示している。最初の２フィールドから１コマ、次の３フィールドから１コマを作成し、以下２フィールド、３フィールド・・・と繰り返して変換する。このような変換はユーザからの指示を受け、２４フレーム／秒のプログレッシブで取り込んだ画像を６０フィールド/秒のインターレース画像で再生したり、６０フィールド／秒のインターレースで記録した画像を２４フレーム／秒のプログレッシブ画像に変換したりするときに行う。
【００５１】
以上が本実施例における画像変換方法の一例である。前記画像変換方法は２−３プルダウン方式と呼ばれる。本実施例における画像変換方法は、前記２−３プルダウン方式に限定されるものではなく、所望の画像形式に変換するものであれば、何でも応用可能である。
【００５２】
なお、本実施例において記録媒体は光ディスクを例に説明を行ったが、これに限定されるものではなく、半導体メモリーや磁気ディスクなど様々な記録媒体に対して応用可能である。
【００５３】
以上に述べた本発明の実施例によれば、２４フレーム／秒のプログレッシブで画像を取込み、記録媒体に記録することにより、解像度の良い映像が得られるという効果がある。
【００５４】
また、現在はフィルムに記録することが主流である映画撮影において、将来的に本実施例の記録再生装置が主流となる可能性がある。
【００５５】
また、記録時の画像方式を選択することが可能であり、また、記録済みの画像音声情報の画像変換が可能であることから、他の再生装置との互換性を確保できるという効果がある。
【００５６】
さらには、前記画像方式に関する情報を記録する手段と前記情報を判別する手段によって、本実施例の記録再生装置における再生時、または他の再生装置における再生時に、記録媒体に記録されている画像音声情報の画像方式に応じた再生ができるという効果がある。さらには、６０フィールド／秒のインターレース画像に比べ、２４フレーム／秒のプログレッシブ画像の方が、符号化効率や画像を取り込むセンサの感度が向上する効果がある。
【００５７】
また、本実施例はＮＴＳＣ(Ｎａｔｉｏｎａｌ Ｔｅｌｅｖｉｓｉｏ Ｓｙｓｔｅｍ Ｃｏｍｍｉｔｔｅｅ)の映像信号方式を前提に述べたが、ＰＡＬ(Ｐｈａｓｅ Ａｌｔｅｒｎａｔｉｎｇ Ｌｉｎｅ)方式でも同等の効果が得られる。
【図面の簡単な説明】
【００５８】
【図１】記録再生装置のブロック図
【図２】光ディスク上に記録する画像音声情報のディレクトリ構成を示す図
【図３】記録モード選択メニューにおいて画像方式を選択する例を示す図
【図４】記録の際の処理を示すフローチャートであり、特に２４Ｐを符号化してから６０Ｉに変換する例を示すフローチャートを示す図
【図５】記録の際の処理を示すフローチャートであり、特に２４Ｐを６０Ｉに変換してから符号化する例を示すフローチャートを示す図
【図６】再生時の処理を示すフローチャート
【図７】２４Ｐから６０Ｉへの変換方法、６０Ｉから２４Ｐへの変換方法を示す図
【符号の説明】
【００５９】
１０１  システム制御部
１０２  ユーザＩ／Ｆ
１０３  入力部
１０４  符号／復号部
１０５  画像変換部
１０６  ＲＡＭ
１０７  ドライブ制御部
１０８  光ディスク
１０９  出力部
【図１】
2005117439.tif 000003
【図２】
2005117439.tif 000004
【図３】
2005117439.tif 000005
【図４】
2005117439.tif 000006
【図５】
2005117439.tif 000007
【図６】
2005117439.tif 000008
【図７】
2005117439.tif 000009